(57)【要約】【課題】ディスクドライブのＡＣ消去周波数の設定方法及びＡＣ消去方法を提供すること。【解決手段】ＡＣ消去周波数の設定方法に、それぞれのディスク領域のデータ頻度を求めるステップと、前記それぞれのディスク領域のデータ頻度に基づいて、前記それぞれのディスク領域についてのＡＣ消去周波数を設定するステップと、を含ませる。【選択図】図２
2008204599.tif 000002
【特許請求の範囲】
【請求項１】
それぞれのディスク領域のデータ頻度を求めるステップと、
前記それぞれのディスク領域のデータ頻度に基づいて、前記それぞれのディスク領域についてのＡＣ消去周波数を設定するステップと、
を含むことを特徴とする、ディスクドライブのＡＣ消去周波数の設定方法。
【請求項２】
前記データ頻度を求めるステップは、
前記ディスク領域のシリンダ番号に基づいて、前記ディスク領域のデータ頻度を求めることを特徴とする、請求項１に記載のディスクドライブのＡＣ消去周波数の設定方法。
【請求項３】
前記ＡＣ消去周波数を設定するステップは、
ＡＣ消去信号で干渉が起きる周波数より高く前記ＡＣ消去周波数を設定することを特徴とする、請求項１に記載のディスクドライブのＡＣ消去周波数の設定方法。
【請求項４】
前記ＡＣ消去周波数を設定するステップは、
内周側にあるディスク領域のＡＣ消去周波数は、外周側にあるディスク領域のＡＣ消去周波数より低くすることを特徴とする、請求項１に記載のディスクドライブのＡＣ消去周波数の設定方法。
【請求項５】
前記ＡＣ消去周波数を設定するステップは、
前記データ頻度がサーボ周波数の３倍より大きければ、サーボ周波数の３倍を前記ＡＣ消去周波数に設定することを特徴とする、請求項１に記載のディスクドライブのＡＣ消去周波数の設定方法。
【請求項６】
前記ＡＣ消去周波数を設定するステップは、
前記データ頻度がサーボ周波数の３倍より小さければ、サーボ周波数の３倍より小さな値を前記ＡＣ消去周波数に設定することを特徴とする、請求項５に記載のディスクドライブのＡＣ消去周波数の設定方法。
【請求項７】
前記ＡＣ消去周波数を設定するステップは、
前記データ頻度がサーボ周波数の３倍より小さければ、ＭＣ周波数を前記ＡＣ消去周波数に設定することを特徴とする、請求項５に記載のディスクドライブのＡＣ消去周波数の設定方法。
【請求項８】
前記ＡＣ消去周波数を設定するステップは、
前記ディスク領域のデータ頻度がサーボ周波数の２倍から所定のマージンを差し引いた値より小さいか、またはサーボ周波数の２倍に所定のマージンを加算した値より大きい場合、
前記ディスク領域のデータ頻度を前記ＡＣ消去周波数に設定することを特徴とする、請求項１に記載のディスクドライブのＡＣ消去周波数の設定方法。
【請求項９】
前記ＡＣ消去周波数を設定するステップは、
前記ディスク領域のデータ頻度がサーボ周波数の２倍から所定のマージンを差し引いた値と、サーボ周波数の２倍に所定のマージンを加算した値との間に位置する場合、
ＭＣ周波数を前記ＡＣ消去周波数に設定することを特徴とする、請求項１に記載のディスクドライブのＡＣ消去周波数の設定方法。
【請求項１０】
前記ディスク領域は、
少なくとも一つのトラックを含むゾーンであることを特徴とする、請求項１に記載のディスクドライブのＡＣ消去周波数の設定方法。
【請求項１１】
それぞれのディスク領域のデータ頻度を求めるステップと、
前記それぞれのディスク領域のデータ頻度に基づいて、前記それぞれのディスク領域についてのＡＣ消去周波数を設定するステップと、
前記それぞれのディスク領域についての前記ＡＣ消去周波数を利用して、前記それぞれのディスク領域に対してＡＣ消去を行うステップと、を含むことを特徴とする、ディスクドライブのＡＣ消去方法。
【請求項１２】
前記データ頻度を求めるステップは、
前記ディスク領域のシリンダ番号から前記ディスク領域のデータ頻度を求めることを特徴とする、請求項１１に記載のディスクドライブのＡＣ消去方法。
【請求項１３】
前記ＡＣ消去周波数を設定するステップは、
ＡＣ消去信号で干渉が起きる周波数より高く前記ＡＣ消去周波数を設定することを特徴とする、請求項１１に記載のディスクドライブのＡＣ消去方法。
【請求項１４】
前記ＡＣ消去周波数を設定するステップは、
内周側にあるディスク領域のＡＣ消去周波数は、外周側にあるディスク領域のＡＣ消去周波数より低くすることを特徴とする、請求項１１に記載のディスクドライブのＡＣ消去方法。
【請求項１５】
前記ＡＣ消去周波数を決定するステップは、
前記データ頻度がサーボ周波数の３倍より大きければ、前記ＡＣ消去周波数をサーボ周波数の３倍に設定することを特徴とする、請求項１１に記載のディスクドライブのＡＣ消去方法。
【請求項１６】
前記ＡＣ消去周波数を決定するステップは、
前記データ頻度がサーボ周波数の３倍より小さければ、前記ＡＣ消去周波数を前記ディスク領域のデータ頻度に設定することを特徴とする、請求項１１に記載のディスクドライブのＡＣ消去方法。
【請求項１７】
前記ＡＣ消去周波数を決定するステップは、
前記データ頻度がサーボ周波数の３倍より小さければ、前記ＡＣ消去周波数をＭＣ周波数に設定することを特徴とする、請求項１１に記載のディスクドライブのＡＣ消去方法。
【請求項１８】
前記ＡＣ消去周波数を決定するステップは、
前記ディスク領域のデータ頻度がサーボ周波数の２倍から所定のマージンを差し引いた値より小さいか、またはサーボ周波数の２倍に所定のマージンを加算した値より大きい場合、
前記ＡＣ消去周波数を前記ディスク領域のデータ頻度に設定することを特徴とする、請求項１１に記載のディスクドライブのＡＣ消去方法。
【請求項１９】
前記ＡＣ消去周波数を決定するステップは、
前記ディスク領域のデータ頻度がサーボ周波数の２倍から所定のマージンを差し引いた値と、サーボ周波数の２倍に所定のマージンを加算した値との間に位置する場合、
前記ＡＣ消去周波数をＭＣ周波数に設定することを特徴とする、請求項１１に記載のディスクドライブのＡＣ消去方法。
【請求項２０】
複数のディスク領域のそれぞれに対してデータ頻度を求めるステップと、
前記それぞれのディスク領域のデータ頻度に基づいて、前記それぞれのディスク領域についてのＡＣ消去周波数を設定し、
第１ディスク領域のＡＣ消去周波数は、第２ディスク領域のＡＣ消去周波数に干渉を起こさないように設定されることを特徴とする、ディスクドライブのＡＣ消去周波数の設定方法。
【請求項２１】
前記第１ディスク領域は、外周側にあるディスク領域であり、
前記第２ディスク領域は、内周側にあるディスク領域であることを特徴とする、請求項２０に記載のディスクドライブのＡＣ消去周波数の設定方法。
【請求項２２】
前記それぞれのディスク領域についての前記ＡＣ消去周波数を利用して、前記それぞれのディスク領域に対してＡＣ消去を行うステップをさらに含むことを特徴とする、請求項２０に記載のディスクドライブのＡＣ消去周波数の設定方法。
【請求項２３】
前記データ頻度を求めるステップは、
前記ディスク領域のシリンダ番号から前記ディスク領域のデータ頻度を求めることを特徴とする、請求項２０に記載のディスクドライブのＡＣ消去周波数の設定方法。
【請求項２４】
前記ＡＣ消去周波数を設定するステップは、
サーボ周波数に基づいて前記ＡＣ消去周波数を設定することを特徴とする請求項２０に記載のディスクドライブのＡＣ消去周波数の設定方法。
【発明の詳細な説明】
【技術分野】
【０００１】
本発明は、ディスクドライブのＡＣ消去周波数の設定方法及びＡＣ消去方法に関する。
【背景技術】
【０００２】
ハードディスクドライブ（ＨＤＤ：Ｈａｒｄ Ｄｉｓｋ Ｄｒｉｖｅ）工程で、データ領域のノイズ信号を消去するために、データ領域にＡＣ消去信号を記録する。このような記録過程をＡＣ消去という。
【０００３】
一般的なＡＣ消去方法としては、ディスクの全領域に同じ周波数のＡＣ消去信号を記録する。この場合、ディスクの内周領域では、ＡＣ消去信号間の干渉が起きる問題が生じる。
【発明の開示】
【発明が解決しようとする課題】
【０００４】
そこで、本発明は、上記問題に鑑みてなされたものであり、本発明の目的とするところは、ディスク領域のデータ頻度を利用するＡＣ消去周波数を設定することが可能な、または、ディスク領域のデータ頻度に基づいて設定されたＡＣ消去周波数を利用してＡＣ消去を行なうことが可能な、新規かつ改良されたディスクドライブのＡＣ消去周波数の設定方法及びＡＣ消去方法を提供することにある。
【課題を解決するための手段】
【０００５】
上記課題を解決するために、本発明のある観点によれば、それぞれのディスク領域のデータ頻度を求めるステップと、前記それぞれのディスク領域のデータ頻度に基づいて、前記それぞれのディスク領域についてのＡＣ消去周波数を設定するステップと、を含むことを特徴とする、ディスクドライブのＡＣ消去周波数の設定方法が提供される。
【０００６】
前記データ頻度を求めるステップは、前記ディスク領域のシリンダ番号に基づいて、前記ディスク領域のデータ頻度を求めてもよい。
【０００７】
前記ＡＣ消去周波数を設定するステップは、ＡＣ消去信号で干渉が起きる周波数より高く前記ＡＣ消去周波数を設定してもよい。
【０００８】
前記ＡＣ消去周波数を設定するステップは、内周側にあるディスク領域のＡＣ消去周波数は、外周側にあるディスク領域のＡＣ消去周波数より低くしてもよい。
【０００９】
前記ＡＣ消去周波数を設定するステップは、前記データ頻度がサーボ周波数の３倍より大きければ、サーボ周波数の３倍を前記ＡＣ消去周波数に設定してもよい。
【００１０】
前記ＡＣ消去周波数を設定するステップは、前記データ頻度がサーボ周波数の３倍より小さければ、サーボ周波数の３倍より小さな値を前記ＡＣ消去周波数に設定してもよい。
【００１１】
前記ＡＣ消去周波数を設定するステップは、前記データ頻度がサーボ周波数の３倍より小さければ、ＭＣ周波数を前記ＡＣ消去周波数に設定してもよい。
【００１２】
前記ＡＣ消去周波数を設定するステップは、前記ディスク領域のデータ頻度がサーボ周波数の２倍から所定のマージンを差し引いた値より小さいか、またはサーボ周波数の２倍に所定のマージンを加算した値より大きい場合、前記ディスク領域のデータ頻度を前記ＡＣ消去周波数に設定してもよい。
【００１３】
前記ＡＣ消去周波数を設定するステップは、前記ディスク領域のデータ頻度がサーボ周波数の２倍から所定のマージンを差し引いた値と、サーボ周波数の２倍に所定のマージンを加算した値との間に位置する場合、ＭＣ周波数を前記ＡＣ消去周波数に設定してもよい。
【００１４】
前記ディスク領域は、少なくとも一つのトラックを含むゾーンであってもよい。
【００１５】
また、上記課題を解決するために、本発明の別の観点によれば、それぞれのディスク領域のデータ頻度を求めるステップと、前記それぞれのディスク領域のデータ頻度に基づいて、前記それぞれのディスク領域についてのＡＣ消去周波数を設定するステップと、前記それぞれのディスク領域についての前記ＡＣ消去周波数を利用して、前記それぞれのディスク領域に対してＡＣ消去を行うステップと、を含むことを特徴とする、ディスクドライブのＡＣ消去方法が提供される。
【００１６】
前記データ頻度を求めるステップは、前記ディスク領域のシリンダ番号から前記ディスク領域のデータ頻度を求めてもよい。
【００１７】
前記ＡＣ消去周波数を設定するステップは、ＡＣ消去信号で干渉が起きる周波数より高く前記ＡＣ消去周波数を設定してもよい。
【００１８】
前記ＡＣ消去周波数を設定するステップは、内周側にあるディスク領域のＡＣ消去周波数は、外周側にあるディスク領域のＡＣ消去周波数より低くしてもよい。
【００１９】
前記ＡＣ消去周波数を決定するステップは、前記データ頻度がサーボ周波数の３倍より大きければ、前記ＡＣ消去周波数をサーボ周波数の３倍に設定してもよい。
【００２０】
前記ＡＣ消去周波数を決定するステップは、前記データ頻度がサーボ周波数の３倍より小さければ、前記ＡＣ消去周波数を前記ディスク領域のデータ頻度に設定してもよい。
【００２１】
前記ＡＣ消去周波数を決定するステップは、前記データ頻度がサーボ周波数の３倍より小さければ、前記ＡＣ消去周波数をＭＣ周波数に設定してもよい。
【００２２】
前記ＡＣ消去周波数を決定するステップは、前記ディスク領域のデータ頻度がサーボ周波数の２倍から所定のマージンを差し引いた値より小さいか、またはサーボ周波数の２倍に所定のマージンを加算した値より大きい場合、前記ＡＣ消去周波数を前記ディスク領域のデータ頻度に設定してもよい。
【００２３】
前記ＡＣ消去周波数を決定するステップは、前記ディスク領域のデータ頻度がサーボ周波数の２倍から所定のマージンを差し引いた値と、サーボ周波数の２倍に所定のマージンを加算した値との間に位置する場合、前記ＡＣ消去周波数をＭＣ周波数に設定してもよい。
【００２４】
また、上記課題を解決するために、本発明の別の観点によれば、複数のディスク領域のそれぞれに対してデータ頻度を求めるステップと、前記それぞれのディスク領域のデータ頻度に基づいて、前記それぞれのディスク領域についてのＡＣ消去周波数を設定し、第１ディスク領域のＡＣ消去周波数は、第２ディスク領域のＡＣ消去周波数に干渉を起こさないように設定されることを特徴とする、ディスクドライブのＡＣ消去周波数の設定方法が提供される。
【００２５】
前記第１ディスク領域は、外周側にあるディスク領域であり、前記第２ディスク領域は、内周側にあるディスク領域であってもよい。
【００２６】
前記ディスクドライブのＡＣ消去周波数の設定方法は、前記それぞれのディスク領域についての前記ＡＣ消去周波数を利用して、前記それぞれのディスク領域に対してＡＣ消去を行うステップをさらに含んでもよい。
【００２７】
前記データ頻度を求めるステップは、前記ディスク領域のシリンダ番号から前記ディスク領域のデータ頻度を求めてもよい。
【００２８】
前記ＡＣ消去周波数を設定するステップは、サーボ周波数に基づいて前記ＡＣ消去周波数を設定してもよい。
【発明の効果】
【００２９】
以上説明したように本発明にかかるディスクドライブのＡＣ消去周波数の設定方法及びＡＣ消去方法によれば、ディスク領域のデータ頻度に基づいてＡＣ消去周波数を設定し、前記ＡＣ消去周波数を有するＡＣ消去信号を利用してＡＣ消去を行う。それにより、本発明にかかるＡＣ消去周波数の設定方法及びＡＣ消去方法によれば、ＡＣ消去信号における干渉現象を抑制できる。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
ＨＤＤは、機構的な部品で構成されたヘッドディスクアセンブリ（ＨＤＡ：Ｈｅａｄ Ｄｉｓｋ Ａｓｓｅｍｂｌｙ）と電気回路との結合でなされる。
【００３２】
図１は、本発明が適用されるＨＤＤのＨＤＡの構成を示す。ＨＤＤ１００は、スピンドルモータ１１４によって回転される少なくとも一つのディスク１１２を備えている。ＨＤＤ１００は、ディスク１１２の表面に隣接して位置するヘッド１２０も備えている。
【００３３】
ヘッド１２０は、ディスク１１２の表面に形成された磁界を感知するか、またはディスクの表面を磁化させることによって、回転するディスク１１２から／に情報を読み取り／書き込みしうる。たとえ、図１において単一のヘッドで示されているとしても、これは、ディスク１１２を磁化させるための記録用ヘッドと、ディスク１１２の磁界を感知するための分離された読み取り用ヘッドとで形成されていると理解される。
【００３４】
ヘッド１２０は、ヘッドとディスク１１２の表面との間に空気軸受を生成させる構造になっている。ヘッド１２０は、ヘッドスタックアセンブリ（ＨＳＡ：Ｈｅａｄ
Ｓｔａｃｋ Ａｓｓｅｍｂｌｙ）１２２に結合される。ＨＳＡ １２２は、ボイスコイル１２６を有するアクチュエータアーム１２４に付着される。
【００３５】
ボイスコイル１２６は、ボイスコイルモータ（ＶＣＭ：Ｖｏｉｃｅ Ｃｏｉｌ Ｍｏｔｏｒ）１３０を特定する（支持する）マグネチックアセンブリ１２８に隣接して位置する。ボイスコイル１２６に供給される電流は、軸受アセンブリ１３２に対してアクチュエータアーム１２４を回転させるトルクを発生させる。アクチュエータアーム１２４の回転は、ディスク１１２の表面を横切ってヘッドを移動させる。
【００３６】
情報は、ディスク１１２の環状トラック内に保存される。一般的に、ディスク１１２は、ユーザデータが記録されるデータゾーン、ドライブを使用しない場合に、ヘッドが位置するパーキングゾーン及びメインテナンスシリンダで構成される。メインテナンスシリンダには、記録電流のデフォルト値を得るための高温及び低温での補償値、ＰＴＰ制御のための制御値、Ｍ値、ヘッドの特性を判別するための差ｄ、ｄ’、ヘッドの特性及びこれによる記録電流補正値が保存される。ヘッド特性は、図４及び図５に示したような方法を通じて判別され、その結果がメインテナンスシリンダに記録される。
【００３７】
図２は、本発明の第１実施形態によるディスク領域のデータ頻度を利用するＡＣ消去周波数の設定方法を示すフローチャートである。
【００３８】
図２を参照すれば、本発明の第１実施形態によるＡＣ消去周波数の設定方法は、データ頻度を求めるステップ（Ｓ２１０）及びＡＣ消去周波数を設定するステップ（Ｓ２３０）を含む。データ頻度を求めるステップ（Ｓ２１０）は、それぞれのディスク領域に対してデータ頻度を求める。ＡＣ消去周波数を設定するステップ（Ｓ２３０）は、それぞれのディスク領域のデータ頻度に基づいて、それぞれの領域についてのＡＣ消去周波数を設定する。
【００３９】
データ頻度を求めるステップ（Ｓ２１０）は、ディスク領域のシリンダ番号に基づいて、ディスク領域のデータ頻度を求めうる。
【００４０】
ＡＣ消去周波数を設定するステップ（Ｓ２３０）は、ＡＣ消去信号で干渉がおきる周波数より高くＡＣ消去周波数を設定しうる。ＡＣ消去周波数を設定するステップ（Ｓ２３０）は、内周側にあるディスク領域のＡＣ消去周波数を、外周側にあるディスク領域のＡＣ消去周波数より低く設定しうる。
【００４１】
一方、一般的なＡＣ消去方法では、内周領域ＩＤと外周領域ＯＤとに対して、同じＡＣ消去周波数を有するＡＣ消去信号を記録する。しかし、内周領域ＩＤと外周領域ＯＤとに対して、同じＡＣ消去周波数を有するＡＣ消去信号を記録すれば、内周領域ＩＤでは、ＡＣ消去信号間の干渉がおきる場合がある。図３Ａを参照してさらに説明すれば、ディスクＤＩＳＫの内周領域ＩＤは、外周領域ＯＤよりデータ頻度が低い。図３Ｂには、サーボ信号Ｓ間の内周領域ＩＤには、２個のデータ信号Ｄが位置し、外周領域ＯＤには、５個のデータ信号Ｄが位置する例が示される。
【００４２】
一方、本実施形態によるＡＣ消去周波数の設定方法では、ディスク領域のデータ頻度に基づいてＡＣ消去周波数を設定する。それにより、内周領域ＩＤでもＡＣ消去信号間の干渉がおきないようにしうる。
【００４３】
図４は、一般的なＡＣ消去周波数を有するＡＣ信号の波形と、本実施形態によるディスク領域のデータ頻度に基づいて設定されたＡＣ消去周波数を有するＡＣ信号の波形とを示す図面である。
【００４４】
図４の左側図には、内周領域ＩＤに一般的なＡＣ消去周波数を有するＡＣ信号を記録する場合、ＡＣ信号間の干渉が発生してＡＣ信号の振幅が減る様子が示される。一方、図４の右側図には、内周領域ＩＤに本発明によるＡＣ消去周波数を有するＡＣ信号を記録する場合、ＡＣ信号間の干渉が発生しない様子が示される。
【００４５】
再び、図２を参照すれば、ＡＣ消去周波数を設定するステップは、データ頻度がサーボ周波数の３倍より大きければ、サーボ周波数の３倍をＡＣ消去周波数に設定しうる（Ｓ２２０、Ｓ２３０）。また、データ頻度がサーボ周波数の３倍より小さければ、サーボ周波数の３倍より小さな値をＡＣ消去周波数に設定しうる。ＡＣ消去周波数を設定するステップは、前記データ頻度がサーボ周波数の３倍より小さければ、ＭＣ周波数を前記ＡＣ消去周波数に設定しうる（Ｓ２２０、Ｓ２４０）。
【００４６】
本発明の第１実施形態によるＡＣ消去周波数の設定方法は、ＡＣ消去方法に適用される。それぞれのディスク領域のデータ頻度に基づいて設定されたＡＣ消去周波数を利用して、それぞれの領域に対してＡＣ消去を行える（Ｓ２７０）。
【００４７】
図５は、本発明の第２実施形態によるディスク領域のデータ頻度を利用するＡＣ消去周波数の設定方法を示すフローチャートである。
【００４８】
図５を参照すれば、本発明の第２実施形態によるＡＣ消去周波数の設定方法のＡＣ消去周波数を設定するステップは、ディスク領域のデータ頻度がサーボ周波数の２倍から所定のマージンを差し引いた値より小さいか、またはサーボ周波数の２倍に所定のマージンを加算し値より大きい場合、ディスク領域のデータ頻度をＡＣ消去周波数に設定しうる（Ｓ５２０、Ｓ５３０）。
【００４９】
ＡＣ消去周波数を設定するステップは、ディスク領域のデータ頻度がサーボ周波数の２倍から所定のマージンを差し引いた値と、サーボ周波数の２倍に所定のマージンを加算した値との間に位置する場合、ＭＣ周波数をＡＣ消去周波数に設定しうる（Ｓ５２０、Ｓ５４０）。
【００５０】
前記ディスク領域は、少なくとも一つのトラックを含むゾーンでありうる。すなわち、本発明の第２実施形態によるＡＣ消去周波数の設定方法は、ゾーン別に別途のＡＣ消去周波数を設定しうる。
【００５１】
本発明の第２実施形態によるＡＣ消去周波数の設定方法も、ＡＣ消去方法に適用される。それぞれのディスク領域のデータ頻度に基づいて設定されたＡＣ消去周波数を利用して、それぞれの領域に対してＡＣ消去を行える（Ｓ５７０）。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５３】
本発明は、ＨＤＤ関連の技術分野に適用可能である。
【図面の簡単な説明】
【００５４】
【図１】本発明が適用されるディスクドライブのＨＤＡの平面図である。
【図２】本発明の第１実施形態によるディスク領域のデータ頻度を利用するＡＣ消去周波数の設定方法を示すフローチャートである。
【図３Ａ】ディスクの内周領域と外周領域とにおけるデータ頻度差を説明するための図面である。
【図３Ｂ】ディスクの内周領域と外周領域とにおけるデータ頻度差を説明するための図面である。
【図４】一般的なＡＣ消去周波数を有するＡＣ信号の波形と、本発明によるディスク領域のデータ頻度に基づいて設定されたＡＣ消去周波数を有するＡＣ信号の波形とを示す図面である。
【図５】本発明の第２実施形態によるディスク領域のデータ頻度を利用するＡＣ消去周波数の設定方法を示すフローチャートである。
【符号の説明】
【００５５】
１００    ＨＤＤ
１１２    ディスク
１１４    スピンドルモータ
１２０    ヘッド
１２２    ＨＳＡ
１２４    アクチュエータアーム
１２６    ボイスコイル
１２８    マグネチックアセンブリ
１３０    ＶＣＭ
１３２    軸受アセンブリ
【図１】
2008204599.tif 000003
【図２】
2008204599.tif 000004
【図３Ａ】
2008204599.tif 000005
【図３Ｂ】
2008204599.tif 000006
【図４】
2008204599.tif 000007
【図５】
2008204599.tif 000008